(57)【要約】【課題】気泡ボード自体を利用した新たな気泡ボードの接合構造、並びに、この気泡ボードの接合構造を有する情報表示手段、知育玩具及び二重箱の提供を目的とする。【解決手段】気泡ボードの接合構造１は、バックシート２１及びキャップシート２２を有し、該キャップシート２２のキャップ２３からなる凸部２４を有する凸部付き気泡ボード２と、ライナーシート３１及びキャップシート３２を有し、該キャップシート３２のキャップ３３からなる凹部３４を有する凹部付き気泡ボード３とを有し、凸部２４が凹部３４に係入することにより、凸部付き気泡ボード２と凹部付き気泡ボード３とが接合された構成としてある。【選択図】  図１
2015147344.tif 000002
【特許請求の範囲】
【請求項１】
バックシート及びキャップシートを有し、該キャップシートのキャップからなる凸部を有する凸部付き気泡ボードと、
ライナーシート及びキャップシートを有し、該キャップシートのキャップからなる凹部を有する凹部付き気泡ボードと
を有し、
前記凸部が前記凹部に取り外し可能に係入することにより、前記凸部付き気泡ボードと前記凹部付き気泡ボードとが接合されたことを特徴とする気泡ボードの接合構造。
【請求項２】
前記凸部付き気泡ボードのキャップシート及び前記凹部付き気泡ボードのキャップシートが、同一の凹型を用いて成形され、かつ、前記凸部付き気泡ボードのキャップシートの目付が、前記凹部付き気泡ボードのキャップシートの目付より重いことを特徴とする請求項１に記載の気泡ボードの接合構造。
【請求項３】
上記請求項１又は２に記載された気泡ボードの接合構造を有し、前記凸部付き気泡ボードと前記凹部付き気泡ボードの少なくとも一方が、文字、図形及び記号の少なくとも一つを表示していることを特徴とする情報表示手段。
【請求項４】
上記請求項１又は２に記載された気泡ボードの接合構造を有し、前記凸部付き気泡ボードと前記凹部付き気泡ボードの少なくとも一方が、文字、図形及び記号の少なくとも一つを表示していることを特徴とする知育玩具。
【請求項５】
外箱と、この外箱に収納される内箱と、上記請求項１又は２に記載された気泡ボードの接合構造とを有し、
前記外箱の内面に、前記凸部付き気泡ボードの凸部及び前記凹部付き気泡ボードの凹部の一方を有し、前記内箱の外面に、前記凸部付き気泡ボードの凸部及び前記凹部付き気泡ボードの凹部の他方を有することを特徴とする二重箱。
【発明の詳細な説明】
【技術分野】
【０００１】
本発明は、気泡ボードの接合構造、情報表示手段、知育玩具及び二重箱に関し、特に、気泡ボード自体を利用した新たな気泡ボードの接合構造、並びに、この気泡ボードの接合構造を有する情報表示手段、知育玩具及び二重箱に関する。
【背景技術】
【０００２】
樹脂製の気泡ボードは、同じ厚さのベニヤ板と比べると軽量であり、また、剛性、衝撃吸収性及び断熱性などに優れているので、様々な用途に用いられている。
この気泡ボードは、通常、円柱状に真空成形されたシート（キャップシートと呼ばれる。）と上下二枚のシート（バックシート、ライナーシートと呼ばれる。）を熱溶着させ、空気を密封した三層構造を有している。
なお、気泡ボードは、三層構造に限定されるものではなく、たとえば、キャップシートとバックシートとからなる二層構造、あるいは、キャップシートとライナーシートとからなる二層構造の気泡ボードも市販されている。
【０００３】
また、上記の気泡ボードどうしを着脱不可能に面接合する場合には、超音波融着加工やリベットなどが用いられてきた。
さらに、気泡ボードどうしを着脱可能に面接合する場合には、面ファスナーを気泡ボードに貼り付ける方法、気泡ボードに孔を形成し、該孔に取り外し可能な連結部材（たとえば、ねじ）を挿入する方法、磁石を利用する方法などが用いられてきた。
なお、面接合とは、一方の気泡ボードの上面と他方の気泡ボードの下面とを面接触させた状態で、接合するといった意味である。
【０００４】
また、本発明に関連する技術として、次のような技術が提案されている。
たとえば、特許文献１には、多数の突起部（キャップ）が形成された合成樹脂製の第１シート（キャップシート）の両面に平坦状の合成樹脂製の第２、第３シート（バックシート、ライナーシート）が接合されている合成樹脂製中空板（気泡ボード）の製造方法が開示されている。
なお、この技術において、外周面に突起部に対応する凹部が形成された成形ロールによって、多数の突起部が形成される。
【０００５】
また、特許文献２には、相補的結合手段を持つ玩具組立要素と相互結合するための結合手段を配したほぼ平坦な組立面を備える真空成形された玩具組立板が開示されている。
なお、この技術において、結合手段の各々は、円筒形の結合スタッドの形状を取っている。
【先行技術文献】
【特許文献】
【０００６】
【特許文献１】特開２００８−２１３２６２号公報
【特許文献２】特表２００１−５１６６２９号公報
【発明の概要】
【発明が解決しようとする課題】
【０００７】
しかしながら、上述した面ファスナーを用いた接合方法では、面ファスナーの表面にごみが付着しやすく、ごみが付着すると接合力が低下するといった問題や、美観などが損なわれるといった問題があった。
また、気泡ボードの孔に挿入される連結部材を用いる接合方法では、接合位置を変更する場合、新たに孔を形成する必要があり、接合位置を容易に変更できないといった問題があった。さらに、連結部材を紛失しないように注意する必要があり、使い勝手を向上させることが要望されていた。
なお、気泡ボードのメーカにおいては、気泡ボードを利用して新商品を開発することが要望されていた。
【０００８】
本発明は、上記事情に鑑み提案されたものであり、気泡ボード自体を利用した新たな気泡ボードの接合構造、並びに、この気泡ボードの接合構造を有する情報表示手段、知育玩具及び二重箱の提供を目的とする。
【課題を解決するための手段】
【０００９】
上記目的を達成するため、本発明の気泡ボードの接合構造は、バックシート及びキャップシートを有し、該キャップシートのキャップからなる凸部を有する凸部付き気泡ボードと、ライナーシート及びキャップシートを有し、該キャップシートのキャップからなる凹部を有する凹部付き気泡ボードとを有し、前記凸部が前記凹部に取り外し可能に係入することにより、前記凸部付き気泡ボードと前記凹部付き気泡ボードとが接合された構成としてある。
【００１０】
また、本発明の情報表示手段は、上記気泡ボードの接合構造を有し、前記凸部付き気泡ボードと前記凹部付き気泡ボードの少なくとも一方が、文字、図形及び記号の少なくとも一つを表示している構成としてある。
【００１１】
また、本発明の知育玩具は、上記気泡ボードの接合構造を有し、前記凸部付き気泡ボードと前記凹部付き気泡ボードの少なくとも一方が、文字、図形及び記号の少なくとも一つを表示している構成としてある。
【００１２】
また、本発明の二重箱は、外箱と、この外箱に収納される内箱と、上記気泡ボードの接合構造とを有し、前記外箱の内面に、前記凸部付き気泡ボードの凸部及び前記凹部付き気泡ボードの凹部の一方を有し、前記内箱の外面に、前記凸部付き気泡ボードの凸部及び前記凹部付き気泡ボードの凹部の他方を有する構成としてある。
【発明の効果】
【００１３】
本発明によれば、気泡ボード自体を利用した新たな気泡ボードの接合構造、並びに、この気泡ボードの接合構造を有する新たな情報表示手段、知育玩具及び二重箱を提供することができる。
また、この気泡ボードの接合構造は、面ファスナーを用いた接合構造と比べると、ごみの付着によって接合力が低下するといった不具合や、美観などが損なわれるといった不具合を回避することができ、さらに、接合位置を容易に変更でき、また、使い勝手などを向上させることができる。
【図面の簡単な説明】
【００１４】
【図１】図１は、本発明の一実施形態にかかる気泡ボードの接合構造の概略図であり、（ａ）は接合前の断面図を示しており、（ｂ）は接合状態の断面図を示している。
【図２】図２は、本発明の一実施形態にかかる気泡ボードの接合構造の要部の概略図であり、（ａ）は凸部付き気泡ボードの斜視図を示しており、（ｂ）は凹部付き気泡ボードの斜視図を示している。
【図３】図３は、本発明の一実施形態にかかる気泡ボードの接合構造の凸部付き気泡ボード及び凹部付き気泡ボードの製造に用いられる製造装置の概略図を示している。
【図４】図４は、本発明の一実施形態にかかる気泡ボードの接合構造の要部の概略図であり、（ａ）は凹部の拡大断面図を示しており、（ｂ）は凸部の拡大断面図を示している。
【図５】図５は、本発明の一実施形態にかかる情報表示手段の概略平面図を示している。
【図６】図６は、本発明の一実施形態にかかる知育玩具の概略平面図を示している。
【図７】図７は、本発明の一実施形態にかかる二重箱の概略断面図を示している。
【発明を実施するための形態】
【００１５】
［気泡ボードの接合構造の一実施形態］
図１は、本発明の一実施形態にかかる気泡ボードの接合構造の概略図であり、（ａ）は接合前の断面図を示しており、（ｂ）は接合状態の断面図を示している。
図１において、本実施形態の気泡ボードの接合構造１は、凸部付き気泡ボード２及び凹部付き気泡ボード３を有し、凸部付き気泡ボード２と凹部付き気泡ボード３とが接合された構成としてある。また、気泡ボードの接合構造１は、後述するように、凸部付き気泡ボード２の凸部２４が凹部付き気泡ボード３の凹部３４に係入することにより、凸部付き気泡ボード２と凹部付き気泡ボード３とが着脱可能に面接合された構成としてある。
なお、凸部付き気泡ボード２及び凹部付き気泡ボード３の材料としては、例えば、ポリプロピレン，ポリエチレン等のポリオレフィン系樹脂、ポリスチレン等のポリスチレン系樹脂、ポリエチレンテレフタレート等のポリエステル系樹脂、ナイロン等のポリアミド系樹脂などを挙げることができる。ただし、これらに限定はされない。
【００１６】
（凸部付き気泡ボード）
凸部付き気泡ボード２は、バックシート２１及びキャップシート２２を有し、該キャップシート２２のキャップ２３からなる複数の凸部２４を有している。
キャップシート２２は、図２（ａ）に示すように、シート材のほぼ全面にわたって所定の配置で中空状に膨出する複数のキャップ２３が形成されたシートである。すなわち、キャップ２３は、通常、頂面（天板）を有する、外径がＤのほぼ円筒形状であり、ピッチＰの千鳥状に配設されている。
なお、キャップ２３は、凸部２４であり、キャップ２３の外面が凸部２４として機能する。
【００１７】
また、バックシート２１は、キャップシート２２のキャップ２３の開口側に積層されるシートである。そして、バックシート２１がキャップシート２２に積層されることにより、キャップ２３には、空気が封入された状態で密閉されて気泡が形成されている。したがって、凸部付き気泡ボード２は、二層構造の気泡ボードとして構成される。
【００１８】
（凹部付き気泡ボード）
凹部付き気泡ボード３は、ライナーシート３１及びキャップシート３２を有し、該キャップシート３２のキャップ３３からなる複数の凹部３４を有している。
キャップシート３２は、図２（ｂ）に示すように、シート材のほぼ全面にわたって所定の配置で中空状に膨出する複数のキャップ３３が形成されたシートである。すなわち、キャップ３３は、通常、頂面（天板）を有する、内径がｄのほぼ円筒形状であり、ピッチＰの千鳥状に配設されている。
なお、キャップ３３は、凹部３４であり、キャップ３３の内面が凹部３４として機能する。
また、図２（ｂ）に示す凹部付き気泡ボード３は、図１（ａ）の凹部付き気泡ボード３を斜め下方から見た斜視図である。
【００１９】
また、ライナーシート３１は、キャップシート３２のキャップ３３の頂面に積層されるシートである。そして、ライナーシート３１がキャップシート３２に積層されることにより、凹部付き気泡ボード３は、二層構造の気泡ボードとして構成される。
【００２０】
ここで、上述したキャップ２３の外径Ｄとキャップ３３の内径ｄは、凸部２４が凹部３４に係入可能であればよい。
そして、ｄ＝Ｄ＋Δ（Δは微小距離（たとえば、０．数ｍｍ）である。）の場合、凸部２４は凹部３４にほぼスムースに係入される。
また、ｄ＝Ｄ、あるいは、ｄ＝Ｄ−Δ（Δは微小距離（たとえば、０．数ｍｍ）である。）の場合、凸部２４は凹部３４に所定の力で押し込まれ、凸部２４及び／又は凹部３４が変形することにより、凸部２４は凹部３４に係入される。
なお、この係入に必要な外力が、凸部付き気泡ボード２と凹部付き気泡ボード３との接合力であり、この接合力は、用途などに応じて、適宜、設定される。
【００２１】
また、凸部２４が凹部３４に係入するとは、通常、一つ以上の凸部２４が一つ以上の凹部３４に完全に係入することを意味するが、これに限定されるものではない。
たとえば、一部が切り欠かれた凹部（図示せず）に凸部２４を係入する場合、係入に必要な外力が低減され、容易に係入させることができる。すなわち、凸部２４が凹部３４に係入するとは、一つ以上の凸部２４の少なくとも一部が、一つ以上の凹部３４の少なくとも一部と係合する場合をも含んでいる。
【００２２】
なお、凸部２４及び凹部３４の配置や形状などは、上記に限定されるものではない。すなわち、上述したように、凸部２４及び凹部３４は、凸部２４が凹部３４に係入可能であればよく、凸部２４及び凹部３４の配置や形状などは、この条件を満足するように、適宜、設定されてもよい。
また、凸部付き気泡ボード２及び凹部付き気泡ボード３は、用途等に応じて任意の大きさに形成することができ、凸部２４及び凹部３４の数や大きさも任意に設定することができる。また、凸部付き気泡ボード２や凹部付き気泡ボード３を切り出すことで、任意の大きさ及び形状の凸部付き気泡ボード２や凹部付き気泡ボード３を形成することができる。
さらに、凸部付き気泡ボード２及び凹部付き気泡ボード３を製造するにあたり、バックシート２１、キャップシート２２、ライナーシート３１及びキャップシート３２のそれぞれの厚さは、凸部付き気泡ボード２や凹部付き気泡ボード３に要求される強度、剛性などを考慮して適宜設定することができる。通常は、各シートの厚さは、例えば１００μｍ〜１．５ｍｍ程度とすることができる。
【００２３】
次に、凸部付き気泡ボード２及び凹部付き気泡ボード３の製造方法について説明する。
凸部付き気泡ボード２及び凹部付き気泡ボード３の製造方法において、通常、図３に示す製造装置５が用いられる。なお、図３の製造装置５は、凸部付き気泡ボード２を製造する状態を示している。
製造装置５は、キャップシート２２又はキャップシート３２用の所定の樹脂材料を薄膜状に押し出すフラットダイ５１、バックシート２１用の所定の樹脂材料を薄膜状に押し出すフラットダイ５２、ライナーシート３１用の所定の樹脂材料を薄膜状に押し出すフラットダイ５３、成形ロール５５、押圧ロール５６及び融着ロール５７などを備えている。
【００２４】
凸部付き気泡ボード２の製造方法において、フラットダイ５１から供給されたフラット状のシート２２１は、外周面に多数のキャビティ孔５５１が設けられている成形ロール５５（凹型とも呼ばれる。）に供給される。各キャビティ孔５５１は、図示しない真空ポンプにつながっており、キャビティ孔５５１を真空吸引することにより、シート２２１に中空状に膨出する多数のキャップ２３が形成される。
そして、キャップ２３が形成されたキャップシート２２は、成形ロール５５と押圧ロール５６との間で、フラットダイ５２から供給されるバックシート２１と熱融着することで二層構造の凸部付き気泡ボード２が形成される。なお、凸部付き気泡ボード２の製造においては、フラットダイ５３及び融着ロール５７は、使用されない。
【００２５】
凹部付き気泡ボード３の製造方法において、フラットダイ５１から供給されたフラット状のシートは、成形ロール５５に供給され、上述したように、該シートに中空状に膨出する多数のキャップ３３が形成される。
そして、キャップ３３が形成されたキャップシート３２は、融着ロール５７によって押圧された状態で、フラットダイ５３から供給されるライナーシート３１と熱融着することで二層構造の凹部付き気泡ボード３が形成される。なお、凹部付き気泡ボード３の製造においては、フラットダイ５２及び押圧ロール５６は、使用されない。
上記の製造方法によれば、凸部付き気泡ボード２及び凹部付き気泡ボード３を効率よく、かつ、廉価に製造することができる。
なお、本実施形態では、成形ロール５５を用いて、凸部付き気泡ボード２や凹部付き気泡ボード３を製造しているが、これに限定されるものではなく、たとえば、成形ロール５５と異なる成形ロールを用いて、凹部付き気泡ボード３を製造してもよい。
【００２６】
ここで、好ましくは、凸部付き気泡ボード２のキャップシート２２及び凹部付き気泡ボード３のキャップシート３２が、同一の凹型（すなわち、共用される成形ロール５５）を用いて成形され、かつ、凸部付き気泡ボード２のキャップシート２２の目付が、凹部付き気泡ボード３のキャップシート３２の目付より重いとよい。
このように、キャップシート２２及びキャップシート３２を、成形ロール５５を用いて成形すると、一つの製造装置５で、凸部付き気泡ボード２及び凹部付き気泡ボード３を製造することができるので、金型費用などを低減でき、製造原価のコストダウンを図ることができる。
【００２７】
なお、キャップシート２２及びキャップシート３２は、共用される成形ロール５５を用いて成形されるので、凸部２４の外径はＤとなり（図４（ｂ）参照）、また、凹部３４の外径は、同じくＤとなり（図４（ａ）参照）、凹部３４の内径は、ｄ（＝Ｄ−２ｔ３）となる。すなわち、凹部３４の内径ｄは、凸部２４の外径Ｄに対して、樹脂の厚さの分だけ（凹部付き気泡ボード３のキャップシート３２の厚さをｔ３としたとき、２ｔ３）小さく、すなわち、凸部２４と凹部３４の嵌合は、しまりばめである。
そして、凸部２４の厚さｔ２より凹部３４の厚さｔ３が薄いと、すなわち、凸部２４に対して凹部３４の目付が軽いと、凹部３４が拡径するように変形しやすくなるので、凸部２４を凹部３４に挿入することができ、かつ、凸部２４がつぶれるように変形するといった不具合を防止することができる。
【００２８】
次に、凸部付き気泡ボード２と凹部付き気泡ボード３との接合方法などについて説明する。
まず、凸部付き気泡ボード２と凹部付き気泡ボード３は、図１（ａ）に示すように、凸部２４と凹部３４が対向する位置にあり、この状態から、キャップシート２２とキャップシート３２とを接触させる。そして、接触させた状態で、たとえば、凹部３４が凸部２４と対応するように、凹部付き気泡ボード３を移動させる。なお、凸部２４及び凹部３４は、適度に面取りされているので、凹部付き気泡ボード３を移動させると、くぼみに収まるような手の感触により、凹部３４を凸部２４に対応させることができる。
次に、凹部付き気泡ボード３を凸部付き気泡ボード２の方向に押すと、凸部２４が凹部３４に係入し、凸部付き気泡ボード２と凹部付き気泡ボード３とが面接合される。
また、この接合状態は、上記の動作を戻すことにより、凹部３４が凸部２４から抜け出て、接合状態は解除される。
【００２９】
また、接合とこの接合の解除（着脱とも呼ばれる。）は、通常、複数回繰り返すことができる。すなわち、凸部２４が、凹部３４に取り外し可能に係入する。
このようにすると、凸部付き気泡ボード２と凹部付き気泡ボード３の接合とこの接合の解除を、容易に複数回繰り返すことができ、使い勝手などを向上させることができる。
なお、気泡ボードの接合構造１の用途によっては、たとえば、上述した接合力が大きくなるように設定し、容易に接合が解除できない構成としてもよい。
【００３０】
また、気泡ボードの接合構造１は、上述した面ファスナーを用いた接合方法と比べると、ごみが付着し難いので、ごみが付着すると接合力が低下するといった問題や、美観などが損なわれるといった問題を回避することができる。
さらに、気泡ボードの孔に挿入される連結部材を用いる接合方法と比べると、接合位置を変更する場合でも新たに孔を形成する必要がなく、また、連結部材を紛失しないように注意する必要がないので、使い勝手などを向上させることができる。
また、気泡ボードの接合構造１は、凸部２４が凹部３４に係入することを条件に、接合位置を自在に変更することができ、使い勝手などを向上させることができる。
【００３１】
以上説明したように、本実施形態の気泡ボードの接合構造１によれば、気泡ボード自体、すなわち、凸部付き気泡ボード２及び凹部付き気泡ボード３を利用した新たな気泡ボードの接合構造を提供することができる。
【００３２】
［情報表示手段の一実施形態］
また、本発明は、情報表示手段の発明としても有効である。
図５において、本実施形態の情報表示手段１１は、上述した気泡ボードの接合構造１を有している。
すなわち、情報表示手段１１は、ほぼ矩形状の凸部付き気泡ボード２と、文字、図形及び記号の少なくとも一つを表示している凹部付き気泡ボード３０ａ、３０ｂ、３０ｃとを有している。
【００３３】
本実施形態の情報表示手段１１は、通い箱（図示せず）に用いられ、凸部付き気泡ボード２は、通い箱の側面などに取り付けられている。凹部付き気泡ボード３０ａは、ライナーシート３１に「本社」と表示（印刷）してあり、凹部付き気泡ボード３０ｂは、矢印の形状に形成されており、また、凹部付き気泡ボード３０ｃは、ライナーシート３１に「東京営業所」と表示してある。
なお、「文字などを表示する」とは、たとえばライナーシート３１に文字などを印刷するといった意味であるが、これに限定されるものではなく、たとえば、凹部付き気泡ボード３の形状を文字などの形状に形成してもよい。
【００３４】
この情報表示手段１１によれば、通い箱が本社から東京営業所に搬送される旨の情報を表示することができる。さらに、凹部付き気泡ボード３０ａ、３０ｂ、３０ｃは、凸部付き気泡ボード２に対して着脱可能に接合されているので、たとえば、「東京営業所」と表示してある凹部付き気泡ボード３０ｃを取り外して、「横浜営業所」と表示してある凹部付き気泡ボード３０（図示せず）を接合させることができる。
【００３５】
以上説明したように、情報表示手段１１によれば、気泡ボードの接合構造１を用いることによって、従来にないユニークな情報表示手段を提供することができる。
なお、情報表示手段１１は、工場やイベント会場などのレイアウト、外出先、予定表などの様々な表示内容を表示することができる。
【００３６】
［知育玩具の一実施形態］
また、本発明は、知育玩具の発明としても有効である。
図６において、本実施形態の知育玩具１２は、上述した気泡ボードの接合構造１を有している。
すなわち、ほぼ矩形状の凸部付き気泡ボード２と、文字、図形及び記号の少なくとも一つを表示している凹部付き気泡ボード３０ｄ、３０ｅ、３０ｆ、３０ｇとを有している。
【００３７】
本実施形態の知育玩具１２において、凹部付き気泡ボード３０ｄは「く」の形状に形成されており、凹部付き気泡ボード３０ｅは「る」の形状に形成されており、凹部付き気泡ボード３０ｆは「ま」の形状に形成されており、凹部付き気泡ボード３０ｇは「自動車」の形状に形成されている。
この知育玩具１２は、たとえば、まず、親が「くるま」の凹部付き気泡ボード３０ｇを凸部付き気泡ボード２に接合させ、幼児に「これは何？」と聞くと、幼児が「くるま」と答え、さらに、親が「どんな字？」と幼児に聞くと、幼児が凹部付き気泡ボード３０ｄ、３０ｅ、３０ｆを見つけ、凸部付き気泡ボード２に接合させるといった玩具である。
【００３８】
以上説明したように、知育玩具１２によれば、気泡ボードの接合構造１を用いることによって、従来にないユニークな知育玩具を提供することができる。
なお、知育玩具１２は、たとえば、生け花用の様々な花などを表示してもよく、このようにすると、色彩や形状などの様々な組合せを考える知育玩具を提供することができる。
【００３９】
［二重箱の一実施形態］
また、本発明は、二重箱の発明としても有効である。
図７において、二重箱４は、外箱４１、この外箱４１に収納される内箱４２、及び、上記の気泡ボードの接合構造１を有している。
外箱４１は、外箱本体４１１及び蓋４１２を有しており、外箱本体４１１の底板の上面に、超音波融着加工や接着剤などによって、凸部付き気泡ボード２が設けられている。すなわち、外箱４１は、内面に、凸部付き気泡ボード２の凸部２４を有している。
また、内箱４２は、内箱本体４２１及び蓋４２２を有しており、内箱本体４２１の底板の下面に、超音波融着加工や接着剤などによって、凹部付き気泡ボード３が設けられている。すなわち、内箱４２は、外面に、凹部付き気泡ボード３の凹部３４を有している。
なお、本実施形態では、外箱本体４１１に凸部付き気泡ボード２が設けられ、かつ、内箱本体４２１に凹部付き気泡ボード３が設けられているが、これに限定されるものではない。たとえば、図示してないが、外箱本体４１１が凸部付き気泡ボード２からなることによって、外箱４１が、内面に凸部付き気泡ボード２の凸部２４を有し、かつ、内箱本体４２１が凹部付き気泡ボード３からなることによって、内箱４２が、外面に凹部付き気泡ボード３の凹部３４を有する構成としてもよい。
【００４０】
この二重箱４は、気泡ボードの接合構造１を利用して、外箱４１と内箱４２の接合を容易に行うことができ、たとえば、外箱４１と内箱４２との間に緩衝材などを入れる必要がないので、省資源化を図ることができ、また、梱包作業の作業性などを向上させることができる。
なお、二重箱４は、内箱４２を外箱４１に収納しているが、本発明の二重箱は、様々な変形例を有している。すなわち、内箱４２の代わりに、図示してないが、仕切り部材として機能する凹部付き気泡ボード３を設け、仕切り部材付き箱としてもよい。  
【００４１】
以上、本発明の気泡ボードの接合構造、情報表示手段、知育玩具及び二重箱について、好ましい実施形態などを示して説明したが、本発明に係る気泡ボードの接合構造、情報表示手段、知育玩具及び二重箱は、上述した実施形態などにのみ限定されるものではなく、本発明の範囲で種々の変更実施が可能であることは言うまでもない。
例えば、気泡ボードの接合構造１は、凸部付き気泡ボード２及び凹部付き気泡ボード３を有する構成としてあるが、これに限定されるものではない。
たとえば、図示してないが、気泡ボードの接合構造１は、さらに、中間シート、この中間シートの一方の面に溶着された凸部用キャップシート、及び、前記中間シートの他方の面に溶着された凹部用キャップシートを有する凹凸部付き気泡ボードを有する構成としてもよい。
このようにすると、前記凸部付き気泡ボードの凸部が、前記凹凸部付き気泡ボードの凹部用キャップシートのキャップからなる凹部に係入することにより、前記凸部付き気泡ボードと前記凹凸部付き気泡ボードとが接合される。
また、前記凹凸部付き気泡ボードの凸部用キャップシートのキャップからなる凸部が、前記凹部付き気泡ボードの凹部に係入することにより、前記凹凸部付き気泡ボードと前記凹部付き気泡ボードとが接合される。
これにより、凸部付き気泡ボード２、一又は二以上の凹凸部付き気泡ボード、及び、凹部付き気泡ボード３を接合することができる。そして、三段以上の多段に接合することにより、たとえば、情報表示手段１１や知育玩具１２の商品としての付加価値を向上させることができる。
【００４２】
なお、たとえば、図示してないが、気泡ボードの接合構造１は、さらに、中間シート及びこの中間シートの両方の面に溶着された凸部用キャップシートを有する両面凸部付き気泡ボードや、中間シート及びこの中間シートの両方の面に溶着された凹部用キャップシートを有する両面凹部付き気泡ボードを有する構成としてもよい。このようにしても、たとえば、情報表示手段１１や知育玩具１２の商品としての付加価値を向上させることができる。
【符号の説明】
【００４３】
１  気泡ボードの接合構造
２  凸部付き気泡ボード
３  凹部付き気泡ボード
４  二重箱
５  製造装置
１１  情報表示手段
１２  知育玩具
２１  バックシート
２２  キャップシート
２３  キャップ
２４  凸部
３０  凹部付き気泡ボード
３１  ライナーシート
３２  キャップシート
３３  キャップ
３４  凹部
４１  外箱
４２  内箱
５１  フラットダイ
５２  フラットダイ
５３  フラットダイ
５５  成形ロール
５６  押圧ロール
５７  融着ロール
２２１  シート
４１１  外箱本体
４１２  蓋
４２１  内箱本体
４２２  蓋
５５１  キャビティ孔
【図１】
2015147344.tif 000003
【図２】
2015147344.tif 000004
【図３】
2015147344.tif 000005
【図４】
2015147344.tif 000006
【図５】
2015147344.tif 000007
【図６】
2015147344.tif 000008
【図７】
2015147344.tif 000009